(57)【要約】【課題】不具合が生じる前にハロゲンランプを適切に補修するための歯科用ハロゲンランプ点灯制御回路を提供する。【解決手段】歯科用ハロゲンランプの点灯時間の積算値を算出及び保持し、積算値が予め決められた値を超えたときに歯科用ハロゲンランプの通常点灯を規制する制御を行い、歯科用ハロゲンランプの接続端の導通状態及び開放状態を検知し、歯科用ハロゲンランプの接続端の開放状態を検知したときに歯科用ハロゲンランプの点灯時間の積算値をリセットする。【選択図】図３
2016220812.tif 000002
【特許請求の範囲】
【請求項１】
歯科用ハロゲンランプに電気的に接続された歯科用ハロゲンランプ点灯制御回路であって、
前記歯科用ハロゲンランプの点灯時間の積算値を算出及び保持し、
前記積算値が予め決められた値を超えたときに前記歯科用ハロゲンランプの通常点灯を規制する制御を行い、
前記歯科用ハロゲンランプの接続端の導通状態及び開放状態を検知し、
前記歯科用ハロゲンランプの前記接続端の前記開放状態を検知したときに前記歯科用ハロゲンランプの前記点灯時間の積算値をリセットする、
歯科用ハロゲンランプ点灯制御回路。
【請求項２】
前記歯科用ハロゲンランプの点灯時間の前記積算値が前記予め決められた値を超えたときに、報知を行った後に、前記歯科用ハロゲンランプの通常点灯を規制する制御を行う、
請求項１に記載の歯科用ハロゲンランプ点灯制御回路。
【請求項３】
患者用椅子、及び歯科用ハロゲンランプを有する歯科用照明装置を備える歯科用ユニットであって、
主電源とは別に電力供給源を具備している，請求項１又は２に記載の歯科用ハロゲンランプ点灯制御回路を有する、歯科用ユニット。
【発明の詳細な説明】
【技術分野】
【０００１】
本発明は、歯科ユニットに具備された歯科用照明装置の光源である歯科用ハロゲンランプの点灯制御をする回路、及びこの回路を具備する歯科ユニットに関する。
【背景技術】
【０００２】
歯科ユニットには、施術中に口腔内を照明するための歯科用照明装置が備えられており、通常は無影灯とされている。歯科用照明装置の光源として近年ＬＥＤが用いられることが多くなっているが、例えば特許文献１にも表れているように、現在においても従前から用いられているハロゲンランプの需要も少なくない。
【先行技術文献】
【特許文献】
【０００３】
【特許文献１】特開２００７−１３０３３３号公報
【発明の概要】
【発明が解決しようとする課題】
【０００４】
ここでハロゲンランプはその寿命がＬＥＤと比べて短い傾向にあり交換が必要である。しかしながら、ハロゲンランプの交換のタイミングはユーザー任せられているため、長時間の使用による劣化に伴い照度の低下や色温度の変化が懸念され、診療中に急にハロゲンランプが消える（故障、断線）ことがある。このような不具合は歯科治療を中断させたり治療の効率を低下させたりするので、回避する必要がある。
【０００５】
そこで本発明は、不具合が生じる前にハロゲンランプを適切に補修するための歯科用ハロゲンランプ点灯制御回路を提供することを課題とする。また、この回路を備える歯科ユニットを提供する。
【課題を解決するための手段】
【０００６】
以下、本発明について説明する。なおここでは分かり易さのため、図面に示した参照符号を括弧書きで付記する。ただし本発明はこれに限定されるものではない。
【０００７】
請求項１に記載の発明は、歯科用ハロゲンランプに電気的に接続された歯科用ハロゲンランプ点灯制御回路であって、歯科用ハロゲンランプの点灯時間の積算値を算出及び保持し、積算値が予め決められた値を超えたときに歯科用ハロゲンランプの通常点灯を規制する制御を行い、歯科用ハロゲンランプの接続端の導通状態及び開放状態を検知し、歯科用ハロゲンランプの接続端の開放状態を検知したときに歯科用ハロゲンランプの点灯時間の積算値をリセットする、歯科用ハロゲンランプ点灯制御回路である。
【０００８】
請求項２に記載の発明は、請求項１に記載の歯科用ハロゲンランプ点灯制御回路において、歯科用ハロゲンランプの点灯時間の積算値が予め決められた値を超えたときに、報知を行った後に、歯科用ハロゲンランプの通常点灯を規制する制御を行う。
【０００９】
請求項３に記載の発明は、患者用椅子、及び歯科用ハロゲンランプを有する歯科用照明装置を備える歯科用ユニットであって、主電源とは別に電力供給源を具備している，請求項１又は２に記載の歯科用ハロゲンランプ点灯制御回路を有する、歯科用ユニット。
【発明の効果】
【００１０】
本発明によれば、歯科用ハロゲンランプに性能上の不具合が生じる前に事前に歯科用ハロゲンランプの交換を促し、交換を強制させることができるので、施術中の不具合の発生を抑制することができる。その際、施術中であるにもかかわらず、規定の積算点灯時間を超えたからといって突然に歯科用照明装置を消灯することを回避することができる。
【図面の簡単な説明】
【００１１】
【図１】１つの形態に係る歯科ユニット１の側面図である。
【図２】制御手段５０を概念的に示した図である。
【図３】歯科用ハロゲンランプ点灯制御回路６０による制御について説明する図である。
【発明を実施するための形態】
【００１２】
以下、本発明を図面に示す形態に基づき説明する。ただし本発明はこれら形態に限定されるものではない。
【００１３】
図１は、１つの形態を説明する図で歯科ユニット１を側面から見た図である。
歯科ユニット１は、患者用椅子１０、歯科用照明装置２０、スピットン２３、ドクターユニット３０、及びアシスタントユニット４０がそれぞれ配置されている。さらに図１には表れていないが、歯科ユニット１には該歯科ユニット１の各構成部材を制御する制御手段５０、及び歯科用ハロゲンランプ点灯制御回路６０が備えられている。
【００１４】
患者用椅子１０は、患者が着座する椅子であり、基台１１、着座部１２、背もたれ１３、ヘッドレスト１４、レッグレスト１５、及びフットレスト１６を備えている。患者用椅子１０を構成するこれらの部材は公知のものを適用することができる。
【００１５】
歯科用照明装置２０は、治療を行うときに的確に患者の口腔内を照明することができるように、自在継ぎ手等により自由度高く移動回動可能なアーム２１を介して取り付けられている。従って、歯科用照明装置２０は、その位置、角度、明るさなどを調整することにより施術者は患者の口腔内を適切に観察することができる。ここで本形態では歯科用照明装置２０は光源として歯科用ハロゲンランプが用いられており、無影灯とされている。
そしてこの歯科用照明装置２０の歯科用ハロゲンランプが歯科用ハロゲンランプ点灯制御回路６０により管理されている。
【００１６】
スピットン２３は、患者用椅子１０の一方の側面側に配置され、治療中や治療後に患者がうがいをして、口腔内を洗浄するときに使用するものである。従って、スピットン２３は、うがい水を供給する不図示のうがい水供給部と、うがいした後の口腔内の水を吐き捨てるための鉢部２４とを有している。そして鉢部２４に排出された唾液や水は、ウオーターユニット中の排水トラップを介して排出される。
【００１７】
ドクターユニット３０は、患者用椅子１０の側面側のうち、スピットン２３が配置される側とは反対側に設けられ、前後方向（図１の紙面左右方向）に移動可能に取り付けられている。
本形態のドクターユニット３０の上面には、映像表示装置３１が備えられている。ここには、施術者、及び患者が必要とする各種データやレントゲン等の画像、映像を表示することができる。
また、本形態のドクターユニット３０のうち映像表示装置３１とは反対側の端部には、施術者が使用する各種ハンドピース３２、及びこれを収納するホルダーが設けられている。ハンドピース３２としては、例えば、エアタービン、マイクロエンジ、スケーラー、シリンジ等を挙げることができる。ほとんど全てのハンドピースは、チューブ類を介して、電気回路、水回路、エア回路等と連結されている。
【００１８】
さらにドクターユニット３０の側面には操作パネル３３が具備されており、これらを操作することにより、歯科用ユニット１の各部の制御（歯科用照明装置２０の点灯、消灯、モードの切り替え、患者用椅子の姿勢の変更、各種設定など）が可能とされている。この操作パネル３３は制御手段５０へ指令をする入力手段としても機能する。
【００１９】
アシスタントが使用する器具が設けられたアシスタントユニット４０は、スピットン２３と同じ側に設けられ、ドクターユニット３０と同様に前後方向に移動可能に取り付けられている。アシスタントユニット４０には、助手が使用するバキューム、排唾管、シリンジ等のハンドピースと、それらを収納するホルダーを有している。バキュームや排唾管は、吸引管を介してバキュームユニットに接続されている。
【００２０】
制御手段５０は、歯科ユニット１の各構成部材を制御する手段である。図２には制御手段５０の構成の概念図を示した。制御手段５０は、歯科ユニット１を構成する構成部材ごとに、属する構成部材を制御するため、個別に制御デバイスを有している。具体的には患者用椅子制御デバイス５１、歯科用照明装置制御デバイス５２、ハンドピース制御デバイス５３、アシスタントユニット制御デバイス５４、及び入力制御デバイス５５を備えている。そして各制御デバイス５１〜５５が図２に示したようにそれぞれの機器に接続されている。
そしてこれら個別の制御デバイス５１〜５５は、バス型トポロジー構造を具備し、バス型ネットワークを形成している。
【００２１】
各制御デバイスはそれぞれプログラムを実行して演算を行いその時点における制御の内容を決定する中央演算子（ＣＰＵ）、中央演算子の演算の根拠となるプログラムが保存されているＲＯＭ、並びに作業領域になるとともに演算結果や設定データが一時的及び継続して保存される記憶手段を備えており、制御デバイスへの信号の入出力が行われる入力ポート、出力ポートも具備されている。
【００２２】
患者用椅子制御デバイス５１は、患者用椅子１０の姿勢を制御するデバイスである。上記のように患者用椅子１０は色々な姿勢を取ることができるのでその制御をこのデバイスで行う。従って患者用椅子制御デバイス５１の記憶手段に保存されているデータとして例えば患者用椅子の姿勢の設定データ等が挙げられる。
照明装置制御デバイス５２は歯科用照明装置２０の点灯、消灯、明るさを制御するデバイスである。従って照明装置制御デバイス５２の記憶手段には予め設定しておいた初期点灯時の明るさ等のデータが保存されている。
ハンドピース制御デバイス５３はドクターユニット３０に具備されたハンドピース３２の作動、停止、及びその作動の態様を制御するデバイスである。従ってハンドピース制御デバイス５３の記憶手段にはハンドピースに具備されるマイクロモーターのトルク、回転数、タービンのパワー、超音波スケーラーのパワー等の各種設定データが保存されている。
アシスタントユニット制御デバイス５４はアシスタントユニット４０に備えられる各種機器の作動、停止、及びその作動の態様を制御するデバイスである。アシスタント制御デバイス５４の記憶手段に例えば予め設定しておいた初期値としての給水量（例えばコップ一杯分の水量）等のデータが保存されている。
入力制御デバイス５５は、操作者の希望する事項を入力することが可能とされており、その希望に基づいて上記した全ての制御デバイス５１〜５５に対して制御開始、停止を指令したり、設定をしたりする。従って、入力制御デバイス５５には、上記した操作パネル３３が含まれている。
【００２３】
以上のように構成された歯科ユニット１によれば、操作パネル３３で入力された指令に基づいて該歯科ユニット１が使用者の希望に沿った態様で作動する。
ここで、各制御デバイスに対しては変圧器（トランス）を介して駆動電力が供給される。これは例えば入力制御デバイス５５の操作パネル３３を操作することにより駆動電力の供給（いわゆる歯科ユニット１の電源入）及び停止（いわゆる歯科ユニット１の電源切）を操作することができる。
【００２４】
歯科用ハロゲンランプ点灯制御回路６０は、歯科用ハロゲンランプの交換に関して各種機能を有する制御デバイスであり、照明装置制御デバイス５２と歯科用照明装置２０との間に配置される。従って、歯科用ハロゲンランプ点灯制御回路６０も、プログラムを実行して演算を行いその時点における制御の内容を決定する中央演算子（ＣＰＵ）、中央演算子の演算の根拠となるプログラムが保存されているＲＯＭ、並びに作業領域になるとともに演算結果や設定データが一時的及び継続して保存される記憶手段を備えており、歯科用ハロゲンランプ点灯制御回路６０への信号の入出力が行われる入力ポート、出力ポートも具備されている。
このように歯科用ハロゲンランプ点灯制御回路６０は、照明装置制御デバイス５２と歯科用照明装置２０との間に付加的に配置することができるので、既存の歯科ユニットに対して後から追加することも可能である。
【００２５】
また、歯科用ハロゲンランプ点灯制御回路６０は、電力供給源の一つの形態である蓄電池６１を備えていることが好ましい。これにより歯科用椅子等を制御する歯科ユニットの主電源が切られた状態で行われたハロゲンランプの交換を、歯科用ハロゲンランプ点灯制御回路６０は蓄電池６１の電力を用いて認識することができる。
この蓄電池６１には、歯科ユニット１の主電源が入れられ、駆動電力が供給されているときに自動的に充電させる。
なお、ここでは蓄電池を例にしたが、歯科用ユニットの主電源が切られた場合であっても歯科用ハロゲンランプ点灯制御回路６０に電力を供給する電力供給源があればよく、例えば歯科ユニットとは別系統の商用電源への接続が行われてもよい。
【００２６】
図３に、歯科用ハロゲンランプ点灯制御回路６０の動作について流れを示した。歯科用ハロゲンランプ点灯制御回路６０により次のように歯科ユニット１、特に歯科用照明装置２０を制御する。すなわち、図３からわかるように、本形態の制御Ｓ１０では、点灯時間の積算及び保持Ｓ１１、規定積算点灯時間経過の判断Ｓ１２、規定報知回数超過の判断Ｓ１３、報知Ｓ１４、電力供給遮断Ｓ１５、交換完了の判断Ｓ１６、及び積算時間リセット・電力供給可能状態Ｓ１７の過程を含む。以下、それぞれの過程について説明する。
【００２７】
点灯時間の積算及び保持Ｓ１１では、ある１つの歯科用照明装置に用いられている歯科用ハロゲンランプに対して、点灯している積算時間を得てこれを保持する。これは歯科用ハロゲンランプに通電されている時間を積算していけばよい。
【００２８】
規定積算点灯時間経過の判断Ｓ１２では、点灯時間の積算Ｓ１１で得た積算値が規定の時間を経過したかを判断する。既定の時間の具体的な値は、用いられる歯科用ハロゲンランプの種類に応じて適切なものとされる。すなわち、あまり短くなりすぎない範囲において、これまでの実績を考慮し、許容範囲を超える歯科用ハロゲンランプの照度低下、色温度の変化、断線が生じない時間とする。これには例えば積算時間として１０００時間程度を挙げることができる。
規定した積算点灯時間が経過していれば、Ｙｅｓが選択され、歯科ユニット電源入の判断Ｓ１３に進む。一方、規定した積算点灯時間が経過していなければ、Ｎｏが選択され、再度、点灯時間の積算Ｓ１１が行われる。
【００２９】
規定報知回数超過の判断Ｓ１３では、予め規定しておいた回数の報知が行われたかを判断する。報知と報知との間隔は決めておいた時間であってよいし、歯科ユニットの主電源が入るごとであってもよい。予め決められた報知回数に達していなければＮｏが選択され、報知Ｓ１４へ進み、予め決められた報知回数に達していればＹｅｓが選択され、電力供給遮断Ｓ１５に進む。
これにより、例えば治療中における歯科用照明装置の点灯及び消灯の繰り返しの中で規定した積算点灯時間が経過した場合でも、突然に歯科用照明装置への電力供給を遮断してしまう不具合を防止する。
なお、歯科用ハロゲンランプ点灯制御回路６０は蓄電池を備えているので、歯科ユニットの電源が入っていなくても作動し、歯科ユニットの電源が入っていない場合も判断することが可能とされている。
【００３０】
報知Ｓ１４では、規定した積算点灯時間が経過した場合であっても歯科ユニットの電源が入っている場合には、治療等、なんらかの施術が行われている可能性があることから、歯科用照明装置への電力供給を遮断することなく、規定の積算点灯時間が経過したことを知らせる（報知する。）。そして歯科ユニット電源入の判断Ｓ１３に戻る。
報知の方法は特に限定されることはなく、視覚的、聴覚的、触覚的な手段、又はその組み合わせを用いることができる。例えば、歯科用照明装置の点灯時に、該歯科用照明装置を３回明滅させること等が挙げられる。
【００３１】
電力供給遮断Ｓ１５は、歯科用ハロゲンランプの通常点灯を規制する制御の１つであり、ここでは、規定した積算点灯時間が経過した場合であって、その後に歯科ユニットの主電源か切られた場合には、歯科用照明装置への電力供給を遮断する。これにより、次に歯科用ユニットの電源を入れても歯科用照明装置は点灯しない。これにより歯科用ハロゲンランプの交換を促すことができる。
なお、この際には単に歯科用照明装置への電力供給を遮断するだけでなく、歯科用ハロゲンランプを交換しなければならない旨の報知が同時に行われることが好ましい。
【００３２】
交換完了の判断Ｓ１６では、電力供給遮断Ｓ１５により歯科用照明装置への電力の供給が遮断された状態で、歯科用ハロゲンランプが交換されたかを判断する。歯科用ハロゲンランプが交換されていない場合にはＮｏが選択され、電力供給遮断Ｓ１５が継続される。
一方、歯科用ハロゲンランプが交換されている場合にはＹｅｓが選択され、積算時間リセット・電力供給可能状態Ｓ１７に進む。
なお、歯科用ハロゲンランプ点灯制御回路６０は蓄電池６１を備えているので、歯科ユニットの電源が入っていなくても作動し、歯科ユニットの電源が入っていなくてもこの判断をすることが可能とされている。
また、歯科用ハロゲンランプの接続端の開放状態を検知する手段は特に限定されることはない。具体的にはハロゲンランプが接続されている２つの接続端子間の電圧差を検知する方法がある。例えばハロゲンランプが接続されている状態では当該２つの接続端子間に電圧差はなく０Ｖである。これに対してハロゲンランプが外される（すなわち交換が開始される）と、当該２つの接続端子間には電圧差が生じる。そしてこの生じた電圧差が一定時間以上に至ったときにハロゲンランプの交換がされていると判断する。そして再び当該２つの接続端子間の電圧差が０Ｖなったとき交換が完了したと判断される。
【００３３】
積算時間リセット・電力供給可能状態Ｓ１７では、交換完了の判断Ｓ１６により歯科用ハロゲンランプの交換が完了したことを確認したことを受けて、点灯時間の積算値をリセットするとともに、歯科用照明装置への電力供給を可能とする。これは例えば歯科用ハロゲンランプの接続端の開放状態を検知したときに自動に積算値をリセットするように構成してもよい。
そして再度、点灯時間の積算Ｓ１１に戻る。
【００３４】
以上のように作動する歯科用ハロゲンランプ点灯制御回路６０によれば、歯科用ハロゲンランプに性能上の不具合が生じる前に事前に歯科用ハロゲンランプの交換を促し、交換を強制させることができるので、施術中の不具合の発生を抑制することができる。一方で、施術中であるにもかかわらず、規定の積算点灯時間を超えたからといって突然に歯科用照明装置を消灯することを回避することができる。
【符号の説明】
【００３５】
１  歯科ユニット
１０  患者用椅子
２０  歯科用照明装置
２３  スピットン
３０  ドクターユニット
４０  アシスタントユニット
５０  制御手段
５１  患者用椅子制御デバイス
５２  歯科用照明装置制御デバイス
５３  ハンドピース制御デバイス
５４  アシスタントユニット制御デバイス
５５  入力制御デバイス
６０  歯科用ハロゲンランプ点灯制御回路
６１  蓄電池（電力供給源）
【図１】
2016220812.tif 000003
【図２】
2016220812.tif 000004
【図３】
2016220812.tif 000005